(57)【要約】【課題】駐車経路上の各位置に見合った駆動力を発生させることができる駐車支援装置を提供することを課題とする。【解決手段】車両を目標駐車位置に駐車させるための駐車支援を行う駐車支援装置１において、予め設定された目標駐車位置に対して運転者の運転操作によって車両を駐車させる場合に車両が移動した経路上の所定の位置における駆動力を記憶しておき、目標駐車位置に対して車両側で自動的に駆動力を制御して車両を駐車させる場合にその記憶している所定の位置における駆動力を利用して駆動力を発生させことを特徴とし、例えば、車両が移動した経路上の各位置における駆動力をそれぞれ記憶しておき、経路上の各位置における駆動力を発生させたり、あるいは、車両が移動した経路上で発生した最大駆動力を記憶しておき、最大駆動力を上限として駆動力を発生させる。【選択図】図１
2015077862.tif 000002
【特許請求の範囲】
【請求項１】
予め設定された目標駐車位置に対して運転者の運転操作によって車両を駐車させる場合に、車両が移動した経路上の所定の位置における駆動力を記憶する記憶手段と、
前記目標駐車位置に対して車両側で自動的に駆動力を制御して車両を駐車させる場合に、前記記憶手段で記憶した前記所定の位置における駆動力を利用して駆動力を発生させる駐車制御手段と、
を備えることを特徴とする駐車支援装置。
【請求項２】
前記記憶手段は、車両が移動した経路上の各位置における駆動力をそれぞれ記憶し、
前記駐車制御手段は、前記記憶手段で記憶した経路上の各位置における駆動力を発生させることを特徴とする請求項１に記載の駐車支援装置。
【請求項３】
前記記憶手段は、車両が移動した経路上で発生した最大駆動力を記憶し、
前記駐車制御手段は、前記記憶手段で記憶した最大駆動力を上限として駆動力を発生させることを特徴とする請求項１に記載の駐車支援装置。
【請求項４】
前記目標駐車位置は、ナビゲーション装置に記憶された自宅の駐車場の位置であることを特徴とする請求項１〜請求項３のいずれか１項に記載の駐車支援装置。
【発明の詳細な説明】
【技術分野】
【０００１】
本発明は、車両を目標駐車位置に駐車させるための駐車支援を行う駐車支援装置に関する。
【背景技術】
【０００２】
近年、車両を駐車させる場合に運転者に各種支援を行う駐車支援装置が開発されている。例えば、特許文献１には、基準局を駐車スペースの近くに設置し、自車両を駐車エリアに進入させて駐車スペースに駐車させるまでの走行軌跡を自車両を複数回走行させたときの平均値から算出することが開示されている。この走行軌跡の各位置に、車速、ハンドル角等をリンクさせている。また、特許文献２には、予め設定された初期位置（自宅等）から目標位置までの車両の駆動履歴情報（車速等）を記憶し、その駆動履歴情報に追従して車両を目標位置まで走行させる運転支援することが開示されている。また、特許文献３には、最後に走行した区間における車両速度等を記憶し、車庫入れ等のときにその記憶した車両速度等に基づいてエンジンやブレーキ等を制御することが開示されている。
【先行技術文献】
【特許文献】
【０００３】
【特許文献１】特開２００６−３２１２９１号公報
【特許文献２】特開２００６−２９８１１５号公報
【特許文献３】特開２０００−８５６１１号公報
【特許文献４】特開２００８−２０７７３２号公報
【発明の概要】
【発明が解決しようとする課題】
【０００４】
駐車経路上の各位置において記憶されている車速（目標車速）となるように駆動力を制御する場合、駐車場に起伏があったりあるいは駐車場の路面の摩擦係数が低いと、従来の駐車支援装置での通常の制御で車両の車速を目標車速とするために必要となる駆動力を発生させても、駆動力が不足したりあるいは過剰になったりする。そのため、駐車経路上の各位置において、車両の車速が目標車速とならず、適切な車速で駐車を行えない可能性がある。
【０００５】
そこで、本発明は、駐車経路上の各位置に見合った駆動力を発生させることができる駐車支援装置を提供することを課題とする。
【課題を解決するための手段】
【０００６】
本発明に係る駐車支援装置は、予め設定された目標駐車位置に対して運転者の運転操作によって車両を駐車させる場合に、車両が移動した経路上の所定の位置における駆動力を記憶する記憶手段と、目標駐車位置に対して車両側で自動的に駆動力を制御して車両を駐車させる場合に、記憶手段で記憶した所定の位置における駆動力を利用して駆動力を発生させる駐車制御手段とを備えることを特徴とする。
【０００７】
この駐車支援装置では、予め設定された目標駐車位置に対して運転者の運転操作によって車両を駐車させる場合に、記憶手段でその車両が移動した経路上の所定の位置における駆動力を記憶する。この記憶する経路上の所定の位置の駆動力は、経路上の各位置における駆動力等の複数の位置での駆動力でもよいし、あるいは、経路上のある位置で発生した最大の駆動力等の１つの位置での駆動力でもよい。運転者は、駐車場の状況に応じて運転操作を行い、目標駐車位置まで確実に駐車させる。そのため、例えば、上り勾配等によって通常の駆動力（例えば、駐車場に起伏がなく、路面の摩擦係数が標準的な値の場合に発生させる駆動力）では駆動力不足になるような状況の場合には通常の駆動力よりも大きな駆動力を発生させるための運転操作を行い、低い路面摩擦係数や下り勾配等によって通常の駆動力では駆動力過剰になるような状況の場合には通常の駆動力よりも小さな駆動力を発生させるための運転操作を行う。したがって、運転者の運転操作による駆動力は、駐車場の状況に応じた駆動力となっており、安全性も考慮された駆動力である。そこで、駐車支援装置では、その同じ目標駐車位置に対して車両側で自動的に駆動力を制御して車両を駐車させる場合に、駐車制御手段によって記憶手段に記憶されている所定の位置における駆動力を利用して駆動力を発生させる。この発生させた駆動力によって、駐車経路上の各位置に見合った駆動力となり、適切な車速となる。このように、駐車支援装置は、過去の運転者の駐車時の運転操作による駆動力を利用して駆動力制御を行うことにより、駐車経路上の各位置に見合った駆動力を発生させることができる。その結果、安全性を考慮しつつ、駐車途中における駆動力の不足や過剰を無くして目標駐車位置に車両を確実に駐車させることができる。なお、駐車制御手段によって記憶手段に記憶されている駆動力を利用して駆動力を発生させて目標駐車位置に車両を駐車させるのは、運転者による運転操作で車両を所定の方向から目標駐車位置に駐車させたときの駆動力を記憶手段に記憶させたときと同じ方向から同じ目標駐車位置に駐車させる場合である。
【０００８】
本発明の上記駐車支援装置では、記憶手段は、車両が移動した経路上の各位置における駆動力をそれぞれ記憶し、駐車制御手段は、記憶手段で記憶した経路上の各位置における駆動力を発生させる構成としてもよい。このように過去の運転者の駐車時の運転操作による駐車経路上の各位置の駆動力を発生させることにより、駐車経路上の各位置に見合った駆動力となる。
【０００９】
本発明の上記駐車支援装置では、記憶手段は、車両が移動した経路上で発生した最大駆動力を記憶し、駐車制御手段は、記憶手段で記憶した最大駆動力を上限として駆動力を発生させる構成としてもよい。このように過去の運転者の駐車時の運転操作で発生した最大駆動力を上限として駐車経路上の各位置で駆動力を発生させることにより、目標駐車位置まで車両を移動させるために必要な最大駆動力の範囲内で各位置における駆動力を発生させることができ、駐車経路上の各位置に見合った駆動力を発生させることができる。
【００１０】
本発明の上記駐車支援装置では、目標駐車位置は、ナビゲーション装置に記憶された自宅の駐車場の位置である。
【発明の効果】
【００１１】
本発明によれば、過去の運転者の駐車時の運転操作による駆動力を利用して駆動力制御を行うことにより、駐車経路上の各位置に見合った駆動力を発生させることができる。
【図面の簡単な説明】
【００１２】
【図１】本実施の形態に係る駐車支援装置の構成図である。
【図２】自宅の駐車場に運転者の運転操作で後退駐車する際の車両の制駆動力の変化、車両の車速の変化、駐車場の勾配の変化の一例である。
【図３】図１の自動駐車制御部における制駆動力制御の制御ブロック図である。
【図４】本実施の形態に係る駐車支援装置における駐車中の各情報を記憶するときの動作の流れを示すフローチャートである。
【図５】本実施の形態に係る駐車支援装置における自動駐車するときの制駆動力制御の動作の流れを示すフローチャートである。
【発明を実施するための形態】
【００１３】
以下、図面を参照して、本発明に係る駐車支援装置の実施の形態を説明する。なお、各図において同一又は相当する要素については同一の符号を付し、重複する説明を省略する。
【００１４】
本実施の形態では、本発明を、車両に搭載され、車両側で自動的に制駆動力及び操舵を制御して自動駐車で車両を駐車させる駐車支援装置に適用する。本実施の形態では、自動駐車による駐車支援は運転者が車両に乗車している状態での駐車でもよいし、あるいは、運転者が車両から降車し、車外からリモコン利用による駐車でもよい。但し、リモコン利用の場合には、安全ガードとして制御量（例えば、駐車支援時の駆動力の制御量）の最小値を利用することを推奨する。また、本実施の形態では、駐車させる駐車場が自宅の駐車場であり、この自宅の駐車場に起伏があり（駐車時には上り勾配であり、出庫時には下り勾配）、自宅の駐車場に後退駐車させる例で説明する。
【００１５】
図１〜図３を参照して、本実施の形態に係る駐車支援装置１について説明する。図１は、駐車支援装置１の構成図である。図２は、自宅の駐車場に運転者の運転操作で後退駐車する際の車両の制駆動力の変化、車両の車速の変化、駐車場の勾配の変化の一例である。図３は、駐車支援装置１の自動駐車制御部における制駆動力制御の制御ブロック図である。
【００１６】
駐車支援装置１は、自宅の駐車場等の駐車頻度の多い駐車場の場合、運転者による運転操作で車両を駐車させるときに駐車中の駆動力等の情報を事前に記憶しておき、自動駐車させるときにその事前に記憶した情報を利用する。特に、駐車支援装置１は、自動駐車中に駐車場の起伏や路面摩擦係数等によって駆動力の不足や過剰が発生しないように、事前に記憶しておいた駆動力を利用して駆動力制御を行う。なお、事前に記憶した情報を利用して自動駐車で駐車場に駐車させるのは、運転者による運転操作で車両を所定の方向から駐車場に駐車させたときの情報を記憶させたときと同じ方向から同じ駐車場に駐車させる場合である。
【００１７】
駐車支援装置１は、車両情報検出部１０、周辺環境検出部１１、駐車支援スイッチ１２、ナビゲーションＥＣＵ[Electronic Control Unit]１３、ステアリングＥＣＵ２０、ブレーキＥＣＵ２１、パワーマネージメントＥＣＵ２２、自動駐車ＥＣＵ３０（情報更新記憶部３１、自動駐車制御部３２）を備えている。なお、本実施の形態では、情報更新記憶部３１が特許請求の範囲に記載する記憶手段に相当し、自動駐車制御部３２、パワーマネージメントＥＣＵ２２が特許請求の範囲に記載する駐車制御手段に相当する。
【００１８】
車両情報検出部１０は、車両の各種情報を検出する手段である。検出する情報としては、例えば、車速、加速度、車高、タイヤの舵角（切れ角）がある。車両情報検出部１０としては、例えば、車速センサ、Ｇセンサ、車高センサ、舵角センサがある。車両情報検出部１０では、一定時間毎に、車両の各情報を検出し、その各検出情報を示す車両情報信号を自動駐車ＥＣＵ３０に送信する。なお、車両がナビゲーション装置を搭載していない場合、車両の現在位置を検出するためのＧＰＳ[Global Positioning System]受信装置も車両情報検出部１０に含まれる。また、Ｇセンサの場合、その検出値を利用して路面の勾配を検出することも可能であり、この検出方法は従来の周知の方法を適用する。
【００１９】
周辺環境検出部１１は、車両の周辺環境を検出する手段である。検出する周辺環境としては、駐車場の駐車区間に関する環境、周辺の物体（特に、地図情報にない駐車中に障害となる物体）、車両と物体との近接状態がある。周辺環境検出部１１としては、レーザセンサ、クリアランスソナーセンサ、カメラを用いた画像センサがある。周辺環境検出部１１では、一定時間毎に、車両の周辺環境を検出し、その各検出周辺環境を示す周辺環境信号を自動駐車ＥＣＵ３０に送信する。なお、レーザセンサの場合、その検出値を利用して路面の勾配を検出することも可能であり、この検出方法は従来の周知の方法を適用する。
【００２０】
駐車支援スイッチ１２は、運転者が駐車支援装置１による自動駐車のＯＮ／ＯＦＦを選択するためのスイッチである。駐車支援スイッチ１２では、運転者によって選択されている自動駐車のＯＮ／ＯＦＦ情報を示すスイッチ信号を自動駐車ＥＣＵ３０に送信する。
【００２１】
ナビゲーションＥＣＵ１３は、車両に搭載されるナビゲーション装置を統括制御するための電子制御ユニットである。ナビゲーションＥＣＵ１３では、現在位置検出、地図表示、地点登録、目的地設定、経路探索、経路案内等の各種機能を有しており、各機能での処理に応じてスピーカから音声を出力させたり、ディスプレイで画像を表示させる。特に、ナビゲーションＥＣＵ１３では、一定時間毎に、車両の現在位置を検出すると、その現在位置情報を示す現在位置信号を自動駐車ＥＣＵ３０に送信する。また、ナビゲーションＥＣＵ１３では、運転者の操作によって地図上の所定の地点を自宅の駐車場として登録されると、その地点情報を自宅駐車場として保持する。この自宅駐車場の登録については、自宅の登録でもよい。そして、ナビゲーションＥＣＵ１３では、自宅駐車場が登録された後に、車両の現在位置が自宅駐車場の周辺の所定範囲（Ａｍ）未満になったか否かを判定し、所定範囲未満になった場合にはその情報を示す駐車場周辺検知信号を自動駐車ＥＣＵ３０に送信する。なお、車両がナビゲーション装置を搭載していない場合、駐車支援スイッチ１２に付加した登録機能あるいは別途の登録ボタンなどを設けることにより、自宅駐車場の登録できるようにするとよい。
【００２２】
ステアリングＥＣＵ２０は、操舵機構（ステアリングホイールから転舵輪までの機構）に付加する操舵力（操舵トルク）を制御するための電子制御ユニットである。ステアリングＥＣＵ２０では、通常、運転者によるステアリングホイール操作に基づいて運転者の操舵力を補助するための目標操舵力（アシストトルク）を設定する。そして、ステアリングＥＣＵ２０では、その目標操舵力を発生させるために操舵アクチュエータ（図示せず）を制御する。特に、ステアリングＥＣＵ２０では、自動駐車ＥＣＵ３０から操舵力制御信号を受信すると、その操舵力制御信号に示される目標操舵力を発生させるために操舵アクチュエータを制御する。
【００２３】
ブレーキＥＣＵ２１は、車両の制動力を制御するための電子制御ユニットである。ブレーキＥＣＵ２１では、通常、運転者によるブレーキペダル操作に基づいて目標制動力を設定する。そして、ブレーキＥＣＵ２１では、その目標制動力を発生させるために各輪のブレーキアクチュエータ（図示せず）を制御する。特に、ブレーキＥＣＵ２１では、自動駐車ＥＣＵ３０から制動力制御信号を受信すると、その制動力制御信号に示される目標制動力を発生させるために各輪のブレーキアクチュエータを制御する。また、ブレーキＥＣＵ２１では、一定時間毎に、車両の現在の制動力を検出すると、その現在の制動力を示す制動力検出信号を自動駐車ＥＣＵ３０に送信する。
【００２４】
パワーマネージメントＥＣＵ２２は、駆動源で発生させる駆動力を制御するための電子制御ユニットである。駆動源としては、例えば、エンジンのみの駆動源、モータのみの駆動源、エンジンとモータのハイブリッドの駆動源がある。パワーマネージメントＥＣＵ２２では、通常、運転者によるアクセルペダル操作に基づいて目標駆動力を設定する。そして、パワーマネージメントＥＣＵ２２では、その目標駆動力を発生させるために駆動源の形態に応じてアクチュエータ（図示せず）を制御する。特に、パワーマネージメントＥＣＵ２２では、自動駐車ＥＣＵ３０から駆動力制御信号を受信すると、その駆動力制御信号に示される目標駆動力を発生させるためにアクチュエータを制御する。また、パワーマネージメントＥＣＵ２２では、一定時間毎に、車両の現在の駆動力を検出すると、その現在の駆動力を示す駆動力検出信号を自動駐車ＥＣＵ３０に送信する。
【００２５】
自動駐車ＥＣＵ３０は、ＣＰＵ[CentralProcessing Unit]、ＲＯＭ[Read Only Memory]、ＲＡＭ[Random Access Memory]等からなる電子制御ユニットであり、駐車支援装置１を統括制御する。自動駐車ＥＣＵ３０では、ＲＯＭに格納されるアプリケーションプログラムをＲＡＭにロードしてＣＰＵで実行することにより、情報更新記憶部３１、自動駐車制御部３２が構成される。自動駐車ＥＣＵ３０では、車両情報検出部１０から車両情報検出信号を受信するとその車両情報検出信号から車両の各情報を取得するとともに、周辺環境検出部１１から周辺環境検出信号を受信するとその周辺環境検出信号から車両の各周辺環境を取得する。また、自動駐車ＥＣＵ３０では、ブレーキＥＣＵ２１から制動力検出信号を受信するとその制動力検出信号から車両の現在の制動力を取得するとともに、パワーマネージメントＥＣＵ２２から駆動力検出信号を受信するとその駆動力検出信号から車両の現在の駆動力を取得する。また、自動駐車ＥＣＵ３０では、ナビゲーションＥＣＵ１３から駐車場周辺検知信号を受信すると、情報更新記憶部３１での処理を実行する。また、自動駐車ＥＣＵ３０では、駐車支援スイッチ１２からスイッチ信号を受信すると、そのスイッチ信号で自動駐車のＯＮが示されている場合には自動駐車制御部３２での処理を実行し、必要に応じてステアリングＥＣＵ２０、ブレーキＥＣＵ２１、パワーマネージメントＥＣＵ２２に各制御信号を送信する。
【００２６】
情報更新記憶部３１、自動駐車制御部３２での具体的な処理について説明する前に、図２を参照して、運転者による運転操作で自宅の駐車場に車両ＭＶを後退駐車させた場合の駆動力や車速の変化について説明する。図２の上側には自宅の駐車場周辺の模式図を示しており、下側には３つのグラフを示している。この３つのグラフにおける横軸は、駐車中の車両ＭＶの駐車経路Ｃに沿った目標駐車位置までの残距離（移動距離）である。一番上のグラフにおける縦軸は駐車中の車両ＭＶの駆動力であり、運転者のアクセルペダル操作によって車両ＭＶで発生した駆動力の変化を示すグラフＧｇを示す。但し、駆動力（制駆動力）はプラスマイナス値で表され、プラス値の場合には駆動力であり、マイナス値の場合には制動力である。中間のグラフにおける縦軸は駐車中の車両ＭＶの車速であり、グラフＧｇで示す駆動力を発生させたときの車両ＭＶの車速の変化を示すグラフＧｓを示す。一番下のグラフにおける縦軸は駐車場の勾配であり、駐車場の勾配の変化を示すグラフＧｉを示す。なお、残距離は、駐車場のタイヤ止めＳ，Ｓに車両ＭＶの車輪が当たるまでの残距離であり、残距離Ｌ４（目標駐車位置）＝０とする。
【００２７】
自宅の駐車場は、駐車区画が区画線Ｌ，Ｌで区画されており、タイヤ止めＳ，Ｓが設置されている。この駐車場周辺には、一番下のグラフＧｉで示す変化の勾配があり、タイヤ止めＳ，Ｓ側が高くなっている。したがって、車両ＭＶが駐車するときには上り勾配になり、出庫するときには下り勾配になる。そのため、この駐車場に車両ＭＶを駐車させる場合、起伏のない平坦な駐車場に駐車させる場合の通常の駆動力よりも大きな駆動力が必要となる。
【００２８】
従来の駐車支援装置では、安全ガード（例えば、後退時の衝突防止）のために、起伏のない平坦な駐車場に駐車させる場合を前提して、過剰な駆動力出力を制限するための駆動力制限値Ｒが設定されており、自動駐車中は駆動力制限値Ｒ以上の駆動力を発生させない。しかし、運転者のアクセルペダル操作に応じたグラフＧｇの駆動力の変化からも判るように、上り勾配の駐車場に車両ＭＶを駐車させるためには、駆動力制限値Ｒよりも大きな駆動力となる。このように、運転者は、上り勾配によって通常の駆動力（平坦な駐車場で必要となる駆動力）では駆動力不足になるような状況の場合にはその状況に応じて通常の駆動力よりも大きな駆動力を発生させるための運転操作を行い、駆動力制限値Ｒよりも大きな駆動力を発生させる。この上り勾配の駐車場に従来の駐車支援装置で自動駐車させた場合、発生させる駆動力が駆動力制限値Ｒで制限されるので、グラフＧｇ’で示すように残距離Ｌ１から駆動力が駆動力制限値Ｒを上限として低減し、車両が残距離Ｌ４（＝目標駐車位置）まで到達しない。グラフＧｇで示すように、残距離Ｌ１からＬ３の間で駆動力が駆動力制限値Ｒを超え、残距離Ｌ２のときに駆動力がピーク（ＭＡＸ値）となる。そこで、自動駐車ＥＣＵ３０では、一定値の駆動力制限値Ｒを設定するのでなく、運転者による運転操作で車両を駐車させるときの駆動力を用いて駆動力の制限値（ＭＡＸ駆動力Ｆｃ）を設定する。駐車時に上り勾配の駐車場の場合、ＭＡＸ駆動力Ｆｃは、駆動力制限値Ｒよりも大きな値となる。
【００２９】
また、グラフＧｇで示す運転者のアクセルペダル操作に応じた駆動力を発生させると、この駆動力の変化に応じて車両ＭＶの車速はグラフＧｓで示す変化となる。この上り勾配の駐車場に従来の駐車支援装置で自動駐車させた場合、上記したように発生させる駆動力が駆動力制限値Ｒで制限されるので、グラフＧｓ’で示すように残距離Ｌ１から車速も低下する。なお、符号Ｑで示す二点鎖線は、車速制限値を示している。車速制限値Ｑは、安全ガード（例えば、下り勾配の場合の車速過剰防止）のための車速の制限値である。自動駐車ＥＣＵ３０では、この車速制限値Ｑは、駐車場の各位置での勾配に応じて設定され、勾配が大きいほど高い速度が設定される。
【００３０】
なお、上記の例では、駐車時に上り勾配の駐車場であるが、下り勾配の駐車場の場合、運転者は、下り勾配によって通常の駆動力では駆動力過剰になるような状況の場合にはその状況に応じて通常の駆動力よりも小さい駆動力を発生させるための運転操作を行い、駆動力制限値Ｒよりも小さい駆動力を発生させる。そのため、このような場合、ＭＡＸ駆動力Ｆｃは、駆動力制限値Ｒよりも小さい値としてもよいしあるいは駆動力制限値Ｒのままでもよい。また、駐車場の路面摩擦係数についても、勾配と同様に、通常の駆動力では駆動力不足や駆動力過剰が発生する場合がある。例えば、駐車場の路面摩擦係数が標準的な値よりも小さい場合、通常の駆動力では駆動力過剰になるので、そのような場合にはＭＡＸ駆動力Ｆｃは駆動力制限値Ｒよりも小さい値としてもよいしあるいは駆動力制限値Ｒのままでもよい。一方、駐車場の路面摩擦係数が標準的な値よりも大きい場合、通常の駆動力では駆動力不足になる場合があるので、そのような場合にはＭＡＸ駆動力Ｆｃは駆動力制限値Ｒよりも大きい値となる。
【００３１】
それでは、情報更新記憶部３１での具体的な処理について説明する。ナビゲーションＥＣＵ１３から駐車場周辺検知信号を受信した場合、情報更新記憶部３１では、まず、駐車場周辺のグリッドマップ（Ｇｒｉｄｍａｐ）を作成する。そして、情報更新記憶部３１では、周辺環境検出部１１からの周辺環境信号に基づいて、グリッドマップ上に駐車の障害となる物体を配置させるとともに、目標駐車位置を認識するための駐車区画線Ｌ，Ｌやタイヤ止めＳ，Ｓ等を配置させる。情報更新記憶部３１では、これらの駐車区画線Ｌ，Ｌやタイヤ止めＳ，Ｓから目標駐車位置（残距離Ｌ４の位置）を認識する。
【００３２】
情報更新記憶部３１では、サンプリング周期毎に、車両ＭＶの現在位置に対応付けて駆動力、制動力、車速、勾配等の情報をＲＡＭの所定の領域に記憶させる。サンプリング周期は、一定の距離でもよいし、一定の時間でよい。勾配は、上記したように、Ｇセンサ又はレーザセンサの検出値から得られる。勾配は、傾斜角、高さ等の情報でもよい。
【００３３】
また、情報更新記憶部３１では、目標駐車位置に車両ＭＶを後退で駐車させるための最適な駐車経路を算出する。この算出方法としては、従来の周辺の方法を適用する。そして、情報更新記憶部３１では、サンプリング周期毎に、記憶している車両ＭＶの現在位置までの各位置からなる実経路と駐車経路との差分量を算出し、この経路差分量を車両ＭＶの現在位置に対応付けてＲＡＭの所定の領域に記憶させる。ちなみに、駐車場に起伏があると、その起伏によってタイヤの舵角（切れ角）にわずかな誤差が発生し、その誤差が積算して駐車誤差（例えば、目標駐車位置から車両の駐車位置がずれる）となる。
【００３４】
また、情報更新記憶部３１では、サンプリング周期毎に、車両ＭＶの現在の駆動力と記憶しているＭＡＸ駆動力Ｆｃとを比較し、現在の駆動力がＭＡＸ駆動力Ｆｃ以上となる場合にはその現在の駆動力をＭＡＸ駆動力Ｆｃとして更新し、ＭＡＸ駆動力ＦｃとそのＭＡＸ駆動力Ｆｃとなる位置を記憶させる。ＭＡＸ駆動力Ｆｃの初期値としては、駆動力制限値Ｒとする。同様に、情報更新記憶部３１では、サンプリング周期毎に、車両ＭＶの現在の車速と記憶しているＭＡＸ車速Ｖｃとを比較し、現在の車速がＭＡＸ車速Ｖｃ以上となる場合にはその現在の車速をＭＡＸ車速Ｖｃとして更新し、ＭＡＸ車速ＶｃとそのＭＡＸ車速Ｖｃとなる位置を記憶させる。ＭＡＸ車速Ｖｃの初期値としては、０とする。
【００３５】
情報更新記憶部３１では、車両ＭＶが目標駐車位置に到達したか否かを判定する。この判定では、例えば、車両ＭＶが停止（車速＝０ｋｍ／ｈ）し、イグニッションスイッチがＯＦＦになった場合に目標駐車位置に到達したと判定する。情報更新記憶部３１では、車両ＭＶが目標駐車位置に到達すると、上記の処理を終了する。そして、情報更新記憶部３１では、この到達した位置を残距離Ｌ４＝０の位置として設定して、駐車のゴール地点として記憶させる。また、情報更新記憶部３１では、サンプリングした各位置での残距離をそれぞれ算出し、車両ＭＶの各位置に対応付けて残距離も記憶させる。
【００３６】
なお、情報更新記憶部３１での処理は、基本的には車両ＭＶの運転者が運転操作して駐車させる場合に行うが、自動駐車中に行ってもよい。したがって、自動駐車中の情報からＭＡＸ駆動力ＦｃやＭＡＸ車速Ｖｃが更新される場合もある。但し、この場合の自動駐車は、運転者による運転操作で車両を駐車させるときに駐車中の駆動力等の情報を少なくとも１回記憶した以降に、その事前に記憶した情報を利用して自動駐車する場合である。また、雨等で路面が濡れているか否かで路面摩擦係数が変化し、車両で発生させる駆動力等が変わり、ＭＡＸ駆動力Ｆｃ等も更新される可能性がある。そこで、１回分の駐車に関する情報に、雨滴センサ等の検出値に基づいて路面がドライ／ウェットの情報を付加してもよいし、あるいは、路面摩擦係数の値を付加してもよい。路面摩擦係数は、推定車体速度と実車体速度との差から推定する従来の推定方法から推定できる。また、情報更新記憶部３１では、少なくとも残距離Ｌ１から残距離Ｌ３まで（駆動力が駆動力制限値Ｒ以上となる範囲）の間において、各位置の情報の記憶及びＭＡＸ駆動力ＦｃやＭＡＸ車速Ｖｃの更新を行えばよい。また、情報更新記憶部３１では、位置に対応付けて各情報を記憶しているが、残距離（移動距離）に対応付けて各情報を記憶してもよい。
【００３７】
次に、自動駐車制御部３２での具体的な処理について説明する。駐車支援スイッチ１２からスイッチ信号で自動駐車のＯＮが示されている場合、自動駐車制御部３２では、情報更新記憶部３１と同様に、駐車場周辺のグリッドマップを作成し、周辺環境検出部１１からの周辺環境信号に基づいてグリッドマップ上に障害物や駐車区画線Ｌ，Ｌやタイヤ止めＳ，Ｓを配置させ、目標駐車位置を認識する。
【００３８】
自動駐車制御部３２で、ＲＡＭに記憶させている自宅の駐車場の各位置（あるいは、各残距離）に対応付けた駆動力、制動力、車速、勾配等の情報及びＭＡＸ駆動力Ｆｃ等を読み出す。なお、自宅の駐車場に駐車させた複数回分の情報が記憶されている場合、複数回分の各情報から平均値等を算出して各情報を用いてもよいし、あるいは、最も直近で記憶された情報あるいは最も安全性が高い情報等を用いてもよい。
【００３９】
まず、図３を参照して、自動駐車の制駆動力制御（フィードバック制御）について説明する。自動駐車制御部３２では、車両ＭＶが所定距離移動する毎に、駐車経路上の目標位置とその位置での目標車速を設定する。駐車経路としては、目標駐車位置に基づいて算出される最適な駐車経路でもよいし、あるいは、記憶されている過去の駐車時の各位置からなる駐車経路を用いてもよい。目標位置は、算出された最適な駐車経路上の各位置でもよいし、あるいは、記憶されている過去の駐車時の各位置をそのまま用いてもよい。目標車速は、従来の周知の方法で設定される車速でもよいし、あるいは、記憶されている過去の駐車時の各位置での車速をそのまま用いてもよい。なお、駐車経路には、障害物とのクリアランスを考慮してマージンを持たせている。
【００４０】
自動駐車制御部３２では、目標位置での目標車速と車両ＭＶの現在位置での実車速との偏差を算出し、この偏差に基づいて車両ＭＶの車速を目標車速にするために必要な制駆動力に変換し、ＰＩＤ[Proportional Integral Derivative]制御を行い、目標駆動力あるいは目標制動力を算出する。この制駆動力への変換方法は、従来の周知の方法を適用する。さらに、自動駐車制御部３２では、ＰＩＤ制御後の目標駆動力がＭＡＸ駆動力Ｆｃを超えるか否かを判定し、超えている場合には目標駆動力をＭＡＸ駆動力Ｆｃに置き換える。ちなみに、従来の駐車支援装置での通常の制御では、このＭＡＸ駆動力ＦｃによるＭＡＸガード処理でなく、駆動力制限値ＲによるＭＡＸガード処理となる。そして、自動駐車制御部３２では、目標駆動力の場合にはその目標駆動力を示す駆動力制御信号をパワーマネージメントＥＣＵ２２に送信し、目標制動力の場合にはその目標制動力を示す制動力制御信号をブレーキＥＣＵ２１に送信する。
【００４１】
制駆動力制御中、自動駐車制御部３２では、車両ＭＶの現在位置での実車速が車速制限値Ｑを超えているか否かを判定し、超えている場合には車速制限値Ｑ以下になるために必要な目標駆動力あるいは目標制動力を算出する。自動駐車制御部３２では、この車速制限値Ｑを、車両ＭＶの現在位置の勾配に基づいて設定する。
【００４２】
なお、上記の制駆動力制御は一例であり、他の制駆動力制御を行ってもよい。例えば、記憶されている過去の駐車時の各位置での駆動力をそのまま目標駆動力として制御を行ってもよい。また、記憶されているＭＡＸ駆動力Ｆｃの位置（図２で示す残距離＝Ｌ２の位置）でＭＡＸ駆動力Ｆｃになるように制御を行ってもよい。また、記憶されているＭＡＸ車速Ｖｃの位置（図２で示す残距離＝Ｌ２の位置）でＭＡＸ車速Ｖｃになるように制御を行ってもよい。
【００４３】
図２に示すように、駐車開始位置から残距離Ｌ１まで及び残距離Ｌ３から残距離Ｌ４（目標駐車位置）までは、車両ＭＶで発生する駆動力が駆動力制限値Ｒ以下となる従来の駐車支援装置と同様の通常の駆動力制御が行われる。一方、残距離Ｌ１から残距離Ｌ３では、駆動力制限値Ｒを超える駆動力を発生させるので、ＭＡＸ駆動力Ｆｃを上限とする駆動力制御が行われる。例えば、残距離Ｌ２で車両ＭＶの駆動力としてＭＡＸ駆動力Ｆｃを発生させ、その後、車両ＭＶが残距離Ｌ４（目標駐車位置）までスムーズに到達する。あるいは、残距離Ｌ２で駆動力がＭＡＸ駆動力Ｆｃ未満の状態で、慣性が働いて車両ＭＶの車速がＭＡＸ車速Ｖｃとなった場合には、その小さい駆動力でも車両ＭＶが残距離Ｌ４（目標駐車位置）までスムーズに到達する。この際、その残距離Ｌ２での小さい駆動力がＭＡＸ駆動力Ｆｃとして更新される。
【００４４】
次に、自動駐車の操舵制御（フィードバック制御）について説明する。自動駐車制御部３２では、従来の駐車支援装置での制御と同様に、車両ＭＶが所定距離移動する毎に、駐車経路に沿って車両ＭＶが移動するように各目標位置での目標舵角を設定する。特に、自動駐車制御部３２では、各目標位置での勾配に基づいて、駐車場における起伏によるタイヤの舵角（誤差分）を推定し、その推定した舵角を目標舵角に加味する。この際、各位置に対応付けて記憶させている経路差分量を利用してもよい。この起伏によるタイヤの舵角の加味は、少なくとも残距離Ｌ１から残距離Ｌ３までの範囲で行えばよい。そして、自動駐車制御部３２では、目標位置での目標舵角と車両ＭＶの現在位置での実舵角との偏差を算出し、この偏差に基づいて車両ＭＶの舵角を目標舵角にするために必要な操舵力に変換し、ＰＩＤ制御を行い、目標操舵力を算出する。この操舵力への変換方法は、従来の周知の方法を適用する。そして、自動駐車制御部３２では、目標操舵力を示す操舵力制御信号をステアリングＥＣＵ２０に送信する。この操舵制御は一例であり、他の操舵制御を行ってもよい。
【００４５】
なお、情報更新記憶部３１では上記したように各位置に対応付けて経路差分量も記憶させている。この経路差分量から駐車場の起伏による経路の偏差が判るので、この各位置での経路差分量を利用して自動駐車中における車両ＭＶの障害物とのクリアランスのマージンを従来よりも小さく設定することができる。特に、目標駐車位置に基づいて算出される最適な駐車経路に基づいて自動駐車する場合に好適である。
【００４６】
車両ＭＶを駐車場から出庫させる場合に、ＭＡＸ駆動力Ｆｃを利用して駆動力を制限することもできる。本実施の形態の自宅の駐車場の例では、前進による出庫時には下り勾配となるので、駆動力（＝０）＋制動力によって駆動力を制限する（つまり、制動力を発生させるブレーキのみを用いて出庫）。駆動力（＝０）＋制動力で出庫するか否かの判断条件を以下に示す。ＭＡＸ駆動力Ｆｃを、式（１）で表すことができる。式（１）におけるＷは、車重（＝車両ＭＶの重量＋乗員の重量）である。乗員の重量は、例えば、車高センサの検出値を利用して従来の周知の方法で推定可能である。θは、駐車場のＭＡＸ駆動力Ｆｃを示す位置での傾斜角（勾配）である。μは、駐車場の路面摩擦係数である。路面摩擦係数μは、式（２）で表すことができる。この式（１）と式（２）から、角度Φを算出する。そして、この角度Φが傾斜角θより小さい場合、駆動力を０として、制動力だけで出庫するようにする。このような出庫時の制限については、車両側の制御で行ってもよいし、あるいは、音声やディスプレイ表示等による情報提供してもよい。
Ｆｃ＝Ｗ×（ｓｉｎθ＋μ×ｃｏｓθ）・・・（１）
μ＝ｔａｎΦ・・・（２）
【００４７】
図１〜図３を参照して、駐車支援装置１の動作の流れを説明する。特に、駐車中の各情報を記憶するときの動作については図４のフローチャートに沿って説明し、自動駐車での制駆動力制御については図５のフローチャートに沿って説明する。図４は、駐車支援装置１における駐車中の各情報を記憶するときの動作の流れを示すフローチャートである。図５は、駐車支援装置１における自動駐車するときの制駆動力制御の動作の流れを示すフローチャートである。
【００４８】
車両情報検出部１０では、一定時間毎に、車両の各情報を検出し、車両情報信号を自動駐車ＥＣＵ３０に送信する。自動駐車ＥＣＵ３０では、この車両情報信号を受信し、車両の情報を取得する。また、周辺環境検出部１１では、一定時間毎に、車両の周辺環境を検出し、周辺環境信号を自動駐車ＥＣＵ３０に送信する。自動駐車ＥＣＵ３０では、この周辺環境信号を受信し、周辺環境を取得する。ナビゲーションＥＣＵ１３では、一定時間毎に、車両の現在位置を検出し、現在位置信号を自動駐車ＥＣＵ３０に送信する。自動駐車ＥＣＵ３０では、この現在位置信号を受信し、車両の現在位置を取得する。また、ブレーキＥＣＵ２１では、一定時間毎に、車両の現在の制動力を検出し、制動力検出信号を自動駐車ＥＣＵ３０に送信する。自動駐車ＥＣＵ３０では、この制動力検出信号を受信し、車両の現在の制動力を取得する。また、パワーマネージメントＥＣＵ２２では、一定時間毎に、車両の現在の駆動力を検出し、駆動力検出信号を自動駐車ＥＣＵ３０に送信する。自動駐車ＥＣＵ３０では、この駆動力検出信号を受信し、車両の現在の駆動力を取得する。
【００４９】
ナビゲーションＥＣＵ１３では、運転者の操作によって地図上の所定の地点が自宅の駐車場として登録されると、その地点情報を自宅駐車場として設定する（Ｓ１０）。この自宅駐車場の設定は、自宅駐車場の初回駐車時の１回のみである。
【００５０】
自宅駐車場が設定されている場合、ナビゲーションＥＣＵ１３では、車両の現在位置が更新される毎に、車両の現在位置が自宅駐車場の周辺の所定範囲（＝Ａｍ）未満になったか否かを判定する（Ｓ１１）。Ｓ１１にて所定範囲未満でないと判定した場合、今回の処理は終了となる。Ｓ１１にて所定範囲未満と判定した場合、ナビゲーションＥＣＵ１３では、駐車場周辺検知信号を自動駐車ＥＣＵ３０に送信する。この際、運転者による運転操作で自宅の駐車場に駐車させる場合もあるし、自動駐車で自宅の駐車場に駐車させる場合もある。
【００５１】
自動駐車ＥＣＵ３０では、この駐車場周辺検知信号を受信すると、グリッドマップを作成し、そのグリッドマップ上に障害物等を設定する（Ｓ１２）。そして、自動駐車ＥＣＵ３０では、現在位置に対応付けた駆動力、制動力、車速、勾配等の記憶を開始する（Ｓ１３）。この各情報の記憶は、サンプリング周期毎に行われる。また、自動駐車ＥＣＵ３０では、駐車区画線Ｌ，Ｌやタイヤ止めＳ，Ｓ等から目標駐車位置を認識する（Ｓ１４）。
【００５２】
自動駐車ＥＣＵ３０では、目標駐車位置に後退駐車するための最適な駐車経路を算出する（Ｓ１５）。また、自動駐車ＥＣＵ３０では、サンプリング周期毎に現在位置を記憶することによって、実際の経路を記憶する（Ｓ１６）。そして、自動駐車ＥＣＵ３０では、記憶されている実経路から算出された駐車経路を減算し、各位置での経路差分量を算出し、その経路差分量も各位置に対応付けて記憶する（Ｓ１７）。この各経路差分量の記憶も、サンプリング周期毎に行われる。
【００５３】
自動駐車ＥＣＵ３０では、現在の駆動力がＭＡＸ駆動力Ｆｃ以上か否かを判定する（Ｓ１８）。Ｓ１８にて現在の駆動力がＭＡＸ駆動力Ｆｃ以上と判定した場合、自動駐車ＥＣＵ３０では、ＭＡＸ駆動力Ｆｃを更新し、その更新したＭＡＸ駆動力Ｆｃとそのときの位置を記憶する（Ｓ１９）。この記憶は、ＭＡＸ駆動力が更新される場合にのみ行われる。ＭＡＸ駆動力Ｆｃは、車両ＭＶの駆動力が駆動力制限値Ｒを超える残距離Ｌ１からＬ３の間において更新される。
【００５４】
自動駐車ＥＣＵ３０では、車両ＭＶが目標駐車位置に到達したか否かを判定する（Ｓ２０）。Ｓ２０にて目標駐車位置に到達していないと判定した場合、自動駐車ＥＣＵ３０では、今回の処理を終了する。Ｓ２０にて目標駐車位置に到達したと判定した場合、自動駐車ＥＣＵ３０では、この位置での残距離Ｌ４＝０と設定して、この位置をゴール地点として記憶する（Ｓ２１）。
【００５５】
運転者が駐車支援スイッチ１２に対してＯＮ操作すると、駐車支援スイッチ１２では、自動駐車のＯＮを示すスイッチ信号を自動駐車ＥＣＵ３０に送信する。自動駐車ＥＣＵ３０では、このスイッチ信号を受信すると、自動駐車を開始する（Ｓ３０）。そして、自動駐車ＥＣＵ３０では、グリッドマップを作成し、そのグリッドマップ上に障害物等を設定する（Ｓ３１）。
【００５６】
ナビゲーションＥＣＵ１３では、車両の現在位置が更新される毎に、車両の現在位置が自宅駐車場の周辺の所定範囲（＝Ａｍ）未満になったか否かを判定する（Ｓ３２）。Ｓ３２にて所定範囲未満でないと判定した場合、ナビゲーションＥＣＵ１３では、駐車場周辺検知信号を自動駐車ＥＣＵ３０に送信しない。この際、自動駐車ＥＣＵ３０では、通常の制御となり（駆動力制限値Ｒより小さく駆動力を発生させる駆動力制御、目標舵角に駐車場の起伏によるタイヤの舵角（誤差分）を加味しない操舵制御）、駆動力制御信号をパワーマネージメントＥＣＵ２２に又は制動力制御信号をブレーキＥＣＵ２１に送信し、操舵力制御信号をステアリングＥＣＵ２０に送信する（Ｓ３３）。Ｓ３２にて所定範囲未満と判定した場合、ナビゲーションＥＣＵ１３では、駐車場周辺検知信号を自動駐車ＥＣＵ３０に送信する。
【００５７】
自動駐車ＥＣＵ３０では、駐車場周辺検知信号を受信すると、駐車区画線Ｌ，Ｌやタイヤ止めＳ，Ｓ等から目標駐車位置を認識する（Ｓ３４）。ここでは、記憶しているゴール地点の情報を用いてもよい。また、自動駐車ＥＣＵ３０では、ＲＡＭに記憶させている自宅の駐車場の現在位置からゴール地点までの各位置に対応付けた駆動力、制動力、車速、勾配等の情報及びＭＡＸ駆動力Ｆｃを読み出す（Ｓ３５）。
【００５８】
そして、自動駐車ＥＣＵ３０では、車両ＭＶが所定距離移動する毎に、各目標位置での目標車速を設定する（Ｓ３６）。そして、自動駐車制御部３２では、その目標車速と実車速から目標駆動力又は目標制動力を算出する（Ｓ３６）。さらに、自動駐車制御部３２では、その算出した目標駆動力がＭＡＸ駆動力Ｆｃを超えるか否かを判定し、超えている場合には目標駆動力をＭＡＸ駆動力Ｆｃに置き換える（Ｓ３６）。そして、自動駐車制御部３２では、目標駆動力の場合にはその目標駆動力を示す駆動力制御信号をパワーマネージメントＥＣＵ２２に送信し、目標制動力の場合にはその目標制動力を示す制動力制御信号をブレーキＥＣＵ２１に送信する（Ｓ３６）。
【００５９】
また、自動駐車ＥＣＵ３０では、車両ＭＶが所定距離移動する毎に、各目標位置での目標舵角を設定し、特に、目標舵角に対しては目標位置での勾配に基づいてタイヤの舵角（誤差分）を推定してその舵角を目標舵角に加味する。そして、自動駐車ＥＣＵ３０では、その目標舵角と実舵角から目標操舵力を算出する。そして、自動駐車ＥＣＵ３０では、その目標操舵力を示す操舵力制御信号をステアリングＥＣＵ２０に送信する。
【００６０】
自動駐車ＥＣＵ３０では、車両ＭＶが目標駐車位置に到達したか否かを判定する（Ｓ３７）。Ｓ３７にて目標駐車位置に到達していないと判定した場合、自動駐車ＥＣＵ３０では、残距離Ｌ３から残距離Ｌ４の間においては通常の制御を行い、駆動力制御信号をパワーマネージメントＥＣＵ２２に又は制動力制御信号をブレーキＥＣＵ２１に送信し、操舵力制御信号をステアリングＥＣＵ２０に送信する（Ｓ３３）。Ｓ３７にて目標駐車位置に到達したと判定した場合、自動駐車ＥＣＵ３０では、自動駐車の制御を終了する。
【００６１】
パワーマネージメントＥＣＵ２２では、駆動力制御信号を受信すると、その駆動力制御信号に示される目標駆動力になるように駆動源の形態に応じてアクチュエータを制御する。これによって、車両ＭＶでは、目標駆動力に相当する駆動力が発生し、目標車速になる。あるいは、ブレーキＥＣＵ２１では制動力制御信号を受信すると、その制動力制御信号に示される目標制動力になるように各輪のブレーキアクチュエータを制御する。これによって、車両ＭＶでは、目標制動力に相当する制動力を発生し、目標車速になる。また、ステアリングＥＣＵ２０では、操舵力制御信号を受信すると、その操舵力制御信号に示される目標操舵力になるように操舵アクチュエータを制御する。これによって、車両ＭＶでは、目標操舵力に相当する操舵力を発生し、タイヤの舵角が目標舵角になる。
【００６２】
駐車支援装置１によれば、過去の運転者の駐車時の運転操作による駆動力等を利用して駆動力制御を行うことにより、駐車経路上の各位置に見合った駆動力を発生させることができる。その結果、安全性を考慮しつつ、駐車途中における駆動力の不足や過剰を無くして、駐車経路において誤差を累積させずに高精度に目標駐車位置に車両を駐車させることができる。特に、駐車支援装置１によれば、過去の運転者の駐車時の運転操作による駆動力によってＭＡＸ駆動力を更新し、記憶したＭＡＸ駆動力を上限として駆動力制御を行うことにより、目標駐車位置まで車両を移動させるために必要な最大駆動力の範囲内で各位置における駆動力を発生させることができ、駐車経路上の各位置に見合った駆動力を発生させることができる。あるいは、駐車支援装置１によれば、過去の運転者の駐車時の運転操作による各位置の駆動力をそのまま目標駆動力として駆動力制御を行うことにより、駐車経路上の各位置に見合った駆動力を発生させることができる。
【００６３】
駐車支援装置１によれば、駐車場の各位置での勾配に基づいてタイヤの舵角（誤差分）を推定し、その推定した舵角を目標舵角に加味して操舵制御を行うことにより、駐車経路上の各位置に見合った操舵力を発生させることができる。その結果、駐車経路において誤差を累積させずに、高精度に目標駐車位置に車両を駐車させることができる。
【００６４】
駐車支援装置１によれば、運転者の運転操作によって駐車場に駐車させたときの各位置での駆動力、車速、勾配等の情報及びＭＡＸ駆動力を記憶しておくことにより、駐車場での外乱要因（勾配、路面摩擦係数等）を考慮して上記したような各制御を行うことできる。また、駐車支援装置１によれば、このような記憶した駆動力、車速、勾配等及びＭＡＸ駆動力を用いることにより、駐車場に関する詳細な地図データを必要とせず、従来の簡素な地図データで自動駐車を実現できる。
【００６５】
なお、従来の駐車支援装置では駆動力制限値によって途中で駆動力不足になって自動駐車できないような駐車場でも、駐車支援装置１では、駆動力不足になるようなことなく、駆動力制御を継続して、目標駐車位置まで車両を到達させることができる。また、従来の駐車支援装置では駐車経路を設定できないような駐車場でも、地図上にない障害物を事前に認識し、駐車場の各位置における勾配、駆動力、車速等を事前に記憶しておくことにより、駐車経路を設定して、自動駐車を行うことができる。
【００６６】
以上、本発明に係る実施の形態について説明したが、本発明は上記実施の形態に限定されることなく様々な形態で実施される。
【００６７】
例えば、本実施の形態では制駆動力制御と操舵制御による自動駐車の駐車支援装置に適用したが、制駆動力制御だけを行う駐車支援装置にも適用できる。
【００６８】
また、本実施の形態では自宅の駐車場を例に示したが、自宅の駐車場以外にも駐車頻度の多い駐車場に適用でき、例えば、職場の駐車場である。また、本実施の形態では後退駐車の例を示したが、前進駐車などの他の駐車の場合も同様に適用できる。
【００６９】
また、本実施の形態では駐車経路の各位置での駆動力や車速等の情報及びＭＡＸ駆動力を記憶しておく構成としたが、駐車経路の各位置での駆動力や車速等の情報だけを記憶しておき、各位置での駆動力等を用いて駆動力制御を行ってもよいし、あるいは、ＭＡＸ駆動力だけを記憶しておき、ＭＡＸ駆動力をＭＡＸガードに用いて駆動力制御を行ってもよい。
【符号の説明】
【００７０】
１…駐車支援装置、１０…車両情報検出部、１１…周辺環境検出部、１２…駐車支援スイッチ、１３…ナビゲーションＥＣＵ、２０…ステアリングＥＣＵ、２１…ブレーキＥＣＵ、２２…パワーマネージメントＥＣＵ、３０…自動駐車ＥＣＵ、３１…情報更新記憶部、３２…自動駐車制御部。
【図１】
2015077862.tif 000003
【図３】
2015077862.tif 000004
【図４】
2015077862.tif 000005
【図５】
2015077862.tif 000006
【図２】
2015077862.tif 000007